(57)【特許請求の範囲】
【請求項１】
サイディングの先端が壁パネルの下端枠より下方に突出したサイディング艤装パネルの上記下端枠の上部に取り付けられる受け金物を備えるとともに、
底板と、当該底板と直角をなす側板と、当該底板と平行に当該側板に設けられたパネル枠保持板とからなり、上記底板と上記パネル枠保持板とが上記受け金物の下方に配置された状態で、上記受け金物に対して上下方向に摺動自在に取り付けられる破損防止金物を備えており、
上記破損防止金物は、上記サイディング艤装パネルを吊り上げて搬送する際に上記サイディングの先端より上記底板が突出する位置まで摺動し、上記サイディング艤装パネルを床パネルの胴差し上に載置する際に上記パネル枠保持板が上記下端枠の下部に接する位置まで摺動することを特徴とするサイディング先端保護金物。
【請求項２】
上記受け金物にボルトを設けると共に、上記破損防止金物の上記側板に上下方向のスリット状長穴を設け、上記ボルトを上記スリット状長穴に挿入してナットを螺合することにより、上記受け金物と上記破損防止金物を摺動自在に結合してなることを特徴とする請求項１記載のサイディング先端保護金物。
【請求項３】
上記受け金物及び上記破損防止金物の上記底板および上記パネル枠保持板にそれぞれ上記サイディング艤装パネルの下端枠に挿入設置されるアンカーボルトに対して抜き差し自在で、上記アンカーボルトを貫通するスリット状切欠きを設けてなることを特徴とする請求項１又は２記載のサイディング先端保護金物。
【請求項４】
サイディングの先端が壁パネルの下端枠より下方に突出したサイディング艤装パネルの上記下端枠にアンカーボルトを挿入設置すると共に、上記下端枠に受け金物と同受け金物に摺動自在に取り付けられた破損防止金物とからなるサイディング先端保護金物を取り付け、このサイディング艤装パネルを吊り上げて上記サイディング先端保護金物の受け金物を上記下端枠により持ち上げることによって、上記破損防止金物を上記サイディングの先端より突出させ、この状態で上記サイディング艤装パネルを床パネル端部の胴差し上に下ろし、上記アンカーボルトを上記胴差しのボルト穴に挿入して上記サイディング艤装パネルを床パネル端部に対し位置決めした後、上記サイディング艤装パネルを更に下ろし、しかる後、上記サイディング先端保護金物を上記サイディング艤装パネルから取り外し、上記サイディングを胴縁を介して上記胴差しに取り付け、上記アンカーボルトを上記胴差しに固定することを特徴とするサイディング先端保護金物を使用したサイディング艤装パネル取り付け方法。
【発明の詳細な説明】
【０００１】
【発明の属する技術分野】
本発明は、２階の床パネル端部の胴差し部分に取り付けるサイディング艤装パネルにおけるサイディング先端の破損を防止するためのサイディング先端保護金物及び同金物を使用してサイディング艤装パネルを上記床パネル端部の胴差し部分に取り付けるサイディング艤装パネル取り付け方法に関するものである。
【０００２】
【従来の技術】
２階の床パネル端部の胴差し部分に取り付けるサイディング艤装パネルは、床パネルに後から胴差しを釘打ちにより取り付けたものにサイディング艤装パネルを取り付けることを考えると、胴差し部分を覆う幕板を別物で取り付ける方法より、図４に示すようにサイディング３１の先端を胴差し３２と略同寸法分だけ壁パネル３３の下端枠３４より下方に突出させたサイディング艤装パネル３５を使用する方が望ましい。
【０００３】
しかしながら、上記のようなサイディング艤装パネル３５を使用した場合、２階の床パネル３６の端部の胴差し３２に胴縁３７を介してサイディング艤装パネル３５を取り付ける際に、図４（Ａ）の状態から図４（Ｂ）に示す状態にサイディング艤装パネル３５を吊り下ろして行く過程で、サイディング３１の先端が胴差し３２、あるいは胴縁３７に当たり、サイディング３１の先端を破損させることがあるという問題があった。
【０００４】
【発明が解決しようとする課題】
本発明の課題は、サイディング艤装パネルを２階の床パネル端部の胴差し部分に取り付ける際に、サイディング艤装パネルの下端枠より下方に突出したサイディングの先端を保護して、サイディング先端の破損を防止することができるサイディング先端保護金物を提供することにある。
【０００５】
また、本発明のもう一つの課題は、上記のサイディング先端保護金物を使用して、サイディング艤装パネルの下端枠より下方に突出したサイディング先端が、胴差しや胴縁に当たって破損するのを防止して、サイディング艤装パネルを２階の床パネル端部の胴差し部分に取り付けることができるサイディング艤装パネル取り付け方法を提供することにある。
【０００６】
【課題を解決するための手段】
上記した課題を解決するため、本発明にかかるサイディング先端保護金物は、サイディングの先端が壁パネルの下端枠より下方に突出したサイディング艤装パネルの上記下端枠の上部に取り付けられる受け金物を備えるとともに、底板と、当該底板と直角をなす側板と、当該底板と平行に当該側板に設けられたパネル枠保持板とからなり、上記底板と上記パネル枠保持板とが上記受け金物の下方に配置された状態で、上記受け金物に対して上下方向に摺動自在に取り付けられる破損防止金物を備えており、上記破損防止金物は、上記サイディング艤装パネルを吊り上げて搬送する際に上記サイディングの先端より上記底板が突出する位置まで摺動し、上記サイディング艤装パネルを床パネルの胴差し上に載置する際に上記パネル枠保持板が上記下端枠の下部に接する位置まで摺動することを特徴とするもので、このサイディング先端保護金物をサイディング艤装パネルの下端枠に取り付け使用することにより、サイディング艤装パネルを床パネル端部の胴差し上に載置する際に、サイディング先端より突出する破損防止金物によってサイディングの先端を保護し、サイディング先端が胴差しや胴縁に当たるのを防止することができる。
【０００７】
また、本発明にかかるサイディング先端保護金物は、上記したサイディング先端保護金物において、上記受け金物にボルトを設けると共に、上記破損防止金物の側板に上下方向のスリット状長穴を設け、上記ボルトを上記スリット状長穴に挿入してナットを螺合することにより、上記受け金物と上記破損防止金物を摺動自在に結合してなることを特徴とするもので、このように受け金物と破損防止金物を結合することにより、受け金物に対する破損防止金物の上下摺動位置をスリット状長穴の上下端により規制し、常にサイディング先端に対して適正な位置を保ち、サイディング先端を保護することができる。
【０００８】
更に、本発明にかかるサイディング先端保護金物は、上記したサイディング先端保護金物において、上記受け金物及び上記破損防止金物の上記底板および上記パネル枠保持板に、それぞれ上記サイディング艤装パネルの下端枠に挿入設置されるアンカーボルトに対して抜き差し自在で、上記アンカーボルトを貫通するスリット状切欠きを設けてなることを特徴とするもので、このようなスリット状切欠きを受け金物及び破損防止金物に設けて置くことにより、サディング艤装パネルの下端枠にアンカーボルトを挿入設置したまま、簡便にサイディング先端保護金物をサイディング艤装パネルの下端枠に対し着脱することができると共に、サイディング先端保護金物の破損防止金物を上下摺動させることができる。
【０００９】
更に、本発明にかかるサイディング先端保護金物を使用したサイディング艤装パネル取り付け方法は、サイディングの先端が壁パネルの下端枠より下方に突出したサイディング艤装パネルの上記下端枠にアンカーボルトを挿入設置すると共に、上記下端枠に受け金物と同受け金物に摺動自在に取り付けられた破損防止金物とからなるサイディング先端保護金物を取り付け、このサイディング艤装パネルを吊り上げて上記サイディング先端保護金物の受け金物を上記下端枠により持ち上げることによって、上記破損防止金物を上記サイディングの先端より突出させ、この状態で上記サイディング艤装パネルを床パネル端部の胴差し上に下ろし、上記アンカーボルトを上記胴差しのボルト穴に挿入して上記サイディング艤装パネルを床パネル端部に対し位置決めした後、上記サイディング艤装パネルを更に下ろし、しかる後、上記サイディング先端保護金物を上記サイディング艤装パネルから取り外し、上記サイディングを胴縁を介して上記胴差しに取り付け、上記アンカーボルトを上記胴差しに固定することを特徴とするもので、この方法によりサイディング艤装パネルを２階の床パネル端部の胴差し部分に取り付ける際に、サイディング艤装パネルの下端枠より下方に突出したサイディング先端をサイディング先端保護金物の破損防止金物及びアンカーボルトにより保護し、サイディング艤装パネルを床パネル端部に対して位置決めをした状態で、サイディング先端が胴差しや胴縁に接触するのを確実に防止しながら、サイディング艤装パネルを取り付けることができる。
【００１０】
【発明の実施の形態】
以下に本発明の実施の形態を図１乃至図３に基づいて説明する。
図１は本発明の実施形態にかかるサイディング先端保護金物の斜視図、図２は同サイディング先端保護金物をサイディング艤装パネルの下端枠に取り付けた状態を示す斜視図、図３は同サイディング先端保護金物を使用したサイディング艤装パネル取り付け方法を示す断面図である。
【００１１】
１はサイディング先端保護金物であり、サイディング艤装パネルの下端枠に取り付けるための受け金物２と、この受け金物２に摺動自在に取り付けられた破損防止金物３とから構成されている。
受け金物２は、パネル枠保持板４と、これと直角をなす摺動片５とからなり、パネル枠保持板４には、後述するサイディング艤装パネルの下端枠に挿入設置されるアンカーボルトに対して抜き差し自在で、同アンカーボルトを貫通するスリット状切欠き６が設けられており、摺動片５には、ボルト７が接合され、ナット８が螺合されるようになっている。
【００１２】
一方、破損防止金物３は、底板９と、これと直角をなす側板１０と、底板９と平行に側板１０に設けられたパネル枠保持板１１とからなり、側板１０には、上下方向に所定長さを有するスリット状長穴１２が設けられおり、また、底板９とパネル枠保持板１１には、それぞれ受け金物２のパネル枠保持板４に設けられているスリット状切欠き６と同位置に、後述するアンカーボルトに対して抜き差し自在で、同アンカーボルトを貫通するスリット状切欠き１３、１４が設けられている。
【００１３】
この受け金物２と破損防止金物３は、受け金物２に設けられているボルト７を破損防止金物３に設けられているスリット状長穴１２に挿入し、ナット８を螺合することによって、図１に示すように受け金物２のパネル枠保持板４と破損防止金物３のパネル枠保持板１１が互いに平行状態を保ったまま摺動自在に結合されており、サイディング先端保護金物１を構成している。
【００１４】
このサイディング先端保護金物１は、図２に示すようにサイディング艤装パネル１５の下端枠１６に取り付けられる。
サイディング艤装パネル１５は、下端枠１６の両面にパネル板を張り付けて形成された壁パネル１７に対して、胴縁１９を介してサイディング１８をその先端が下端枠１６より下方に突出するよう工場艤装したものである。
サイディング艤装パネル１５の下端枠１６付近には、アンカーボルト２０によりサイディング艤装パネル１５を胴差し２１を介して２階の床パネル２２に取り付けるときに使用する穴２３が設けられており、この穴２３にサイディング先端保護金物１の受け金物２を挿入することによって、サイディング先端保護金物１が取り付けられるようになっている。
【００１５】
図３の（Ａ）乃至（Ｆ）は、上記したサイディング先端保護金物１を使用してサイディング艤装パネル１５を２階の床パネル２２の端部の胴差し２１部分に取り付ける際に、サイディング１８先端の突出部分が胴差し２１や胴差し２１に設けられている胴縁１９に当たって破損するのを防止しながら取り付ける方法を示すものである。
【００１６】
先ず、図３（Ａ）に示すように、壁パネル１７に胴縁１９を介してサイディング１８を工場艤装したサイディング艤装パネル１５の下端枠１６にアンカーボルト２０を挿入設置すると共に、この下端枠１６付近に設けられている穴２３から下端枠１６の上面にサイディング先端保護金物１の受け金物２を差し込み、受け金物２及び破損防止金物３に設けられているスリット状切欠き６、１３、１４とアンカーボルト２０が干渉しないようにスリット状切欠き６、１３、１４にアンカーボルト２０を貫通させて、サイディング先端保護金物１をサイディング艤装パネル１５に取り付ける。
【００１７】
このサイディング先端保護金物１が取り付けられたサイディング艤装パネル１５は、パレット２４のパネル置き台２５の上面に設けられている凹部にアンカーボルト２０の先端が挿着された状態でパレット２４上に保持されており、この状態でトラックの荷台などに積載されて運搬されるようになっている。
【００１８】
施工現場までトラック等によって運搬されたサイディング艤装パネル１５は、パレット２４とともにトラックの荷台から下ろされた後、図示されていないクレーン等の吊り上げ装置によって吊り上げられる。
このとき、図３（Ｂ）に示すようにサイディング先端保護金物１は、受け金物２が下端枠１６により持ち上げられるが、破損防止金物３と受け金物２は上下方向に摺動自在に結合されているため、破損防止金物３の底板９は、パネル置き台２５上に止まっており、一方、アンカーボルト２０は、図３（Ａ）に示す位置から幾分下がった位置となる。
【００１９】
サイディング艤装パネル１５が更に吊り上げられると、図３（Ｃ）に示す状態となる。
この状態で、サイディング先端保護金物１の破損防止金物３は完全に下方端まで下がるようになっており、底板９はサイディング１８の先端より若干下方に下がった位置となると共に、アンカーボルト２０の先端は底板９より更に下方に突出されるようになっており、このサイディング先端保護金物１の破損防止金物３とアンカーボルト２０とによって、サイディング１８の先端が保護されるようになっている。
【００２０】
クレーン等により吊り上げられていたサイディング艤装パネル１５は、２階の床パネル２２端部の胴差し２１部分に取り付けられるため、図３（Ｄ）に示すように徐々に下ろされる。
このとき、サイディング１８の先端よりサイディング先端保護金物１の破損防止金物３とアンカーボルト２０が下方に突出されているため、サイディング１８の先端が胴差し２１部分に当たることはなく、アンカーボルト２０の先端を床パネル２２端部の胴差し２１に設けられているボルト穴（図示せず）に挿入すると共に、サイディング先端保護金物１の底板９を床パネル２２上に載置することによって、サイディング艤装パネル１５は床パネル２２上に位置決めされる。
【００２１】
この位置決め状態からサイディング艤装パネル１５を更に下ろして行くと、サイディング先端保護金物１の受け金物２と破損防止金物３は、互いにスリット状長穴１２に沿って摺動し、破損防止金物３が床パネル２２上に載置されたまま受け金物２はサイディング艤装パネル１５とともに下降する。
これによって、図３（Ｅ）に示すようにサイディング１８の先端が胴差し２１に設けられている胴縁１９に接近するが、サイディング艤装パネル１５は床パネル２２に対して上記したように位置決めされているため、サイディング１８先端が胴縁１９に当たることはない。
【００２２】
図３（Ｅ）に示す位置でサイディング先端保護金物１は、サイディング艤装パネル１５から取り外され、図３（Ｆ）に示すようにサイディング艤装パネル１５の下端枠１６が床パネル２２上に載置された状態となる。
サイディング先端保護金物１を取り外した後、サイディング１８の先端を胴縁１９に釘打ち２６により止め、更にアンカーボルト２０を胴差し２１に止めることによって、サイディング艤装パネル１５の２階の床パネル２２への取り付けが完了する。
【００２３】
以上のように、サイディング艤装パネル１５の下端枠１６にサイディング先端保護金物１を取り付け使用することにより、サイディング艤装パネル１５を床パネル２２端部の胴差し２１上に載置して取り付ける際に、サイディング１８の先端より下方に突出する破損防止金物３及びアンカーボルト２０によって、サイディング１８の先端を保護しながらサイディング艤装パネル１５と床パネル２２端部の位置決めをして、サイディング１８の先端が胴差し２１や胴縁１９に当たって破損するのを防止しながら、サイディング艤装パネル１５を２階の床パネル２２に取り付けることができる。
【００２４】
【発明の効果】
以上に説明したように、本発明にかかるサイディング先端保護金物によると、サイディング艤装パネルを床パネル端部の胴差し上に載置する際に、サイディングの先端より突出する破損防止金物によってサイディングの先端を保護し、サイディングの先端が胴差しや胴縁に当たるのを防止してサイディング先端の破損を確実に回避しながら、サイディング艤装パネルを２階の床パネルに取り付けることができる。
【００２５】
また、本発明にかかるサイディング先端保護金物を使用したサイディング艤装パネル取り付け方法によると、サイディング艤装パネルを２階の床パネル端部の胴差し部分に取り付ける際に、サイディング先端をサイディング先端保護金物の破損防止金物及びアンカーボルトによって保護し、サイディング艤装パネルを床パネル端部に位置決めをした状態で、サイディング先端が胴差しや胴縁に接触するのを確実に防止しながら、サイディング艤装パネルを取り付けることができるため、サイディング先端の破損を確実に回避することができる。
【図面の簡単な説明】
【図１】本発明の実施形態にかかるサイディング先端保護金物の斜視図である。
【図２】本発明の実施形態にかかるサイディング先端保護金物をサイディング艤装パネルの下端枠に取り付けた状態を示す斜視図である。
【図３】本発明の実施形態にかかるサイディング先端保護金物を使用したサイディング艤装パネル取り付け方法を示す断面図である。
【図４】従来のサイディング艤装パネル取り付け方法を示す断面図である。
【符号の説明】
１  サイディング先端保護金物
２  受け金物
３  破損防止金物
６  スリット状切欠き
７  ボルト
８  ナット
１２  スリット状長穴
１３  スリット状切欠き
１４  スリット状切欠き
１５  サイディング艤装パネル
１６  下端枠
１７  壁パネル
１８  サイディング
１９  胴縁
２０  アンカーボルト
２１  胴差し
２２  床パネル
【図１】
0003748150.tif 000002
【図２】
0003748150.tif 000003
【図３】
0003748150.tif 000004
【図４】
0003748150.tif 000005